(57)【要約】      （修正有）【課題】標準の４色プロセス印刷の色域を拡張する。【解決手段】拡張色域は、４つの基本原色インクの色を変更して、第５の原色インクを追加するだけで、達成できる。これは、例えば、ＣＭＹ原色のうちの２色または３色の色相をシフトして、追加の原色を追加することにより、行われ得る。このように、５色のプロセスインクだけを使用して、例えば、スポットカラー印刷のため、またはオーバープリントワニス用途のために、より多くの空いた印刷ステーションを備えた標準的なパッケージプリンタを提供する。別の例示的な実施形態では、第６のプロセスカラーが発明の５色インクセットに追加され得る。【効果】第６または第７の原色インクを既存の４色インクセットに追加する必要なく、拡張色域が提供できる。【選択図】図２
2019130908.tif 000002
【特許請求の範囲】
【請求項１】
シアン、マゼンタ、イエローおよびブラック原色を有する、４色プロセス印刷インクセ
ットの色域を拡張する方法であって、
前記シアン、マゼンタおよびイエロー原色のうちの少なくとも１つをシフトすることと
、
少なくとも１つの追加のプロセス原色を追加することと
を含む、４色プロセス印刷インクセットの色域を拡張する方法。
【請求項２】
前記シアン、マゼンタおよびイエロー原色のうちの少なくとも１つを前記シフトするこ
とが：
前記シアン原色をシアンのさらにグリーン色調にシフトすること、
前記マゼンタ原色をマゼンタのさらにブルー色調にシフトすること、および
前記イエロー原色をイエローのさらにグリーン色調にシフトすること
のうちの１つまたは複数を含む、
請求項１に記載の方法。
【請求項３】
前記シアン、マゼンタおよびイエロー原色のうちの少なくとも１つを前記シフトするこ
とが、
前記シアン原色を、約２２０度未満のＣＩＥＬＡＢメトリック色相角で、シアンのさら
にグリーン色調にシフトすることと、
前記マゼンタ原色を、約３５５度未満のＣＩＥＬＡＢメトリック色相角で、マゼンタの
さらにブルー色調にシフトすることと
を含む、請求項２に記載の方法。
【請求項４】
前記イエロー原色を、約９５度より大きいＣＩＥＬＡＢメトリック色相角で、イエロー
のさらにグリーン色調にシフトすること
をさらに含む、請求項３に記載の方法。
【請求項５】
前記少なくとも１つの追加のプロセス原色がレディッシュオレンジ色である、請求項１
〜４のいずれか１項に記載の方法。
【請求項６】
前記レディッシュオレンジ色が、約４９度と約５９度との間のＣＩＥＬＡＢメトリック
色相角を有する、請求項５に記載の方法。
【請求項７】
前記少なくとも１つの追加のプロセス原色が、レディッシュブルー色である、請求項１
〜４のいずれか１項に記載の方法。
【請求項８】
前記レディッシュブルー色が、約３０５度と約３１５度との間のＣＩＥＬＡＢメトリッ
ク色相角を有する、請求項７に記載の方法。
【請求項９】
前記２つの追加のプロセス原色が追加される、請求項１〜８のいずれか１項に記載の方
法。
【請求項１０】
前記２つの色が、レディッシュオレンジ色およびレディッシュブルー色を含む、請求項
９に記載の方法。
【請求項１１】
前記レディッシュオレンジ色が、約４９度と約５９度との間のＣＩＥＬＡＢメトリック
色相角を有し、かつ、前記レディッシュブルー色が、約３０５度と約３１５度との間のＣ
ＩＥＬＡＢメトリック色相角を有する、請求項１０に記載の方法。
【請求項１２】
請求項１〜１１のいずれか１項の方法を使用して生成された印刷インクセットを使用す
る印刷プロセス。
【請求項１３】
前記印刷プロセスが、フレキソ、グラビア、リソグラフィ、スクリーン、およびインク
ジェットのうちの少なくとも１つを含む、請求項１２に記載の印刷プロセス。
【請求項１４】
使用される前記インクが、溶剤系インク、水性インク、酸化乾燥インク、およびエネル
ギー硬化型インクのうちの１つまたは複数である、請求項１２に記載の印刷プロセス。
【請求項１５】
前記原色または追加のプロセス原色が、ＣＩＥＬＡＢとは異なる任意のカラーシステム
で表現されたのと同等の量だけシフトされる、請求項１〜１１のいずれか１項に記載の方
法。
【請求項１６】
請求項１５に記載の方法を使用して生成された印刷インクセットを使用する印刷プロセ
ス。
【請求項１７】
前記印刷プロセスが、フレキソ、グラビア、リソグラフィ、スクリーン、およびインク
ジェットのうちの少なくとも１つを含む、請求項１６に記載の印刷プロセス。
【請求項１８】
使用される前記インクが、溶剤系インク、水性インク、酸化乾燥インク、およびエネル
ギー硬化型インクのうちの１つまたは複数である、請求項１７に記載の印刷プロセス。
【請求項１９】
シアン、マゼンタ、イエローおよびブラック原色を有する、４色プロセス印刷インクセ
ットの前記色域を拡張する方法であって、
前記シアン原色をシアンのさらにグリーン色調にシフトすることと、
前記マゼンタ原色をマゼンタのさらにブルー色調にシフトすることと、
少なくとも１つの追加のプロセス原色を追加することと
を含み、
前記シフトされたシアン、前記シフトされたマゼンタおよび前記少なくとも１つの追加
のプロセス原色に対して、顔料が容易に入手可能であるように、前記シアンおよびマゼン
タの前記シフトがアレンジされる、
４色プロセス印刷インクセットの前記色域を拡張する方法。
【請求項２０】
前記イエロー原色をイエローのさらにグリーン色調にシフトすることをさらに含む、請
求項１９に記載の方法。
【請求項２１】
前記少なくとも１つの追加のプロセス原色が：レディッシュオレンジ色およびレディッ
シュブルー色のうちの１つである、請求項１９または２０のいずれかに記載の方法。
【請求項２２】
前記容易に入手可能な顔料が、前記シフトされていない原色のものと実質的に同様の、
単位顔料重量あたりの色の濃さを有する顔料である、請求項１９〜２１のいずれか１項に
記載の方法。
【請求項２３】
２つの追加のプロセス原色が追加される、請求項１９に記載の方法。
【請求項２４】
前記２つの追加のプロセス原色が、レディッシュオレンジ色およびレディッシュブルー
色を含む、請求項２３に記載の方法。
【請求項２５】
請求項１９〜２４のいずれかの前記プロセス印刷インクセットを使用する印刷プロセス
。
【請求項２６】
前記印刷プロセスが、フレキソ、グラビア、リソグラフィ、スクリーン、およびインク
ジェットのうちの少なくとも１つを含む、請求項２５に記載の印刷プロセス。
【請求項２７】
使用される前記インクが、溶剤系インク、水性インク、酸化乾燥インク、およびエネル
ギー硬化型インクのうちの１つまたは複数である、請求項２６に記載の印刷プロセス。
【発明の詳細な説明】
【技術分野】
【０００１】
関連出願の相互参照
本出願は、２０１２年７月１３日に出願された米国仮特許出願第６１／６７１，１５２
号、２０１３年３月７日に出願された米国仮特許出願第６１／７７４，００６号の利益を
請求し、その開示が本明細書による参照により本明細書に完全に組み込まれる。
【背景技術】
【０００２】
従来の拡張色域印刷
ＩＳ  ＆Ｔ−ＳＰＩＥ  Ｓｙｍｐｏｓｉｕｍ  ｏｎ  Ｅｌｅｃｔｒｏｎｉｃ  Ｉｍａｇ
ｉｎｇ，Ｓｃｉｅｎｃｅ  ａｎｄ  Ｔｅｃｈｎｏｌｏｇｙ，ＳＰＩＥ  ｖｏｌ．２１７０
，Ｆｅｂｒｕａｒｙ  １９９４で発表されたＨａｒｏｌｄ  Ｂｏｌｌ、Ａ  Ｃｏｌｏｒ  
ｔｏ  Ｃｏｌｏｒａｎｔ  Ｔｒａｎｓｆｏｒｍａｔｉｏｎ  ｆｏｒ  ａ  Ｓｅｖｅｎ  Ｉ
ｎｋ  Ｐｒｏｃｅｓｓは、ＣＭＹＫＲＧＢ機器において所望の色を取得するための原色の
選択を説明する。開示する技術は、７つの考えられる着色剤によって形成された色域をさ
らに小さいグループに細分する。ＣＭＹＫＲＧＢの７色インクの上位セットからの一連の
４着色剤サブセットが個々に特性化され、個々のサブセットに対して比色変換が取得され
た。色空間において、４着色剤サブセットの各々は、７着色剤色域の隣接して重なり合う
サブ色域を表す。
【０００３】
色域拡張に対して、特に、インクジェット印刷に関して、現在の人気がある技術は、異
なる濃度の原色インク（例えば、濃シアンインクおよび淡シアンインク）を使用すること
、またはオレンジおよびグリーンの原色インクを追加すること（Ｐａｎｔｏｎｅ「Ｈｅｘ
ａｃｈｒｏｍｅ（登録商標）」システムとして知られる）を含む。
【０００４】
ＣＭＹＫを使用した４色印刷プロセスの色域は、あまり大きくなく、それ故、いくつか
の色はＣＭＹＫのみを使用して再現できない。従って、５色以上のインクを使用するプロ
セスが、色域を拡大するために開発されてきた。これらの追加のインクは、発光インクの
ような、特殊な効果を作成するために使用される「スポットカラー」ではなく、むしろ、
高彩度、単色素（ｍｏｎｏ−ｐｉｇｍｅｎｔｅｄ）の従来型インクである。追加のインク
は、本質的に、現実感を作り出すための色分解プロセスの一部である。
【０００５】
少なくとも６色インクでの印刷例は、オレンジおよびグリーンのインクで補完された拡
張ＣＭＹＫインク（ＣＭＹＫＯＧ）から成る、米国ニュージャージー州Ｃａｒｌｓｔａｄ
ｔ所在のＰＡＮＴＯＮＥ，Ｉｎｃ．からのＰＡＮＴＯＮＥ’ｓ  Ｈｅｘａｃｈｒｏｍｅ（
登録商標）システムである。シアン、マゼンタ、イエローおよびブラックにＰＡＮＴＯＮ
Ｅ  Ｈｅｘａｃｈｒｏｍｅ（登録商標）オレンジおよびＰＡＮＴＯＮＥ  Ｈｅｘａｃｈｒ
ｏｍｅ（登録商標）グリーンを追加した、拡張セットを提供することにより、印刷された
写真画像およびシミュレートされたスポットカラーを再現するための色域が実質的に拡大
されている。４色プロセス印刷と比べて、その大きな色域は、コンピュータモニター上で
定義および表示できる、広範囲にわたる鮮やかで、かつ繊細な色をより正確に再現するこ
とを可能にし、それは、以前は、印刷で複製できなかった。より鮮明な連続階調画像を再
現することに加えて、Ｈｅｘａｃｈｒｏｍｅは、ＰＡＮＴＯＮＥ  ＭＡＴＣＨＩＮＧ  Ｓ
ＹＳＴＥＭ（登録商標）カラーの９０％以上、従来の４色プロセス印刷を使用して取得で
きる数のほぼ２倍、を正確に再現することが可能であり、それは、
（ｈｔｔｐ：／／ｔｈ．ｐａｎｔｏｎｅ．ｃｏｍ／ｐａｇｅｓ／ｐａｎｔｏｎｅ／Ｐａｎ
ｔｏｎｅ．ａｓｐｘ？ｐｇ＝１９３０３＆ｃａ＝２４）
に示されているとおりである。
【０００６】
別の例は、ＣＭＹＫ、レッド、グリーン、およびブルーインク（ＣＭＹＫＲＧＢ）を使
用するＫｕｐｐｅｒｓのインクセットとしてとして知られている。Ｈ．ＫUｐｐｅｒｓ：
“Ｄｉｅ  Ｆａｒｂｅｎｌｅｈｒｅ  ｄｅｒ  Ｆｅｒｎｓｅｈ−，Ｆｏｔｏ−ｕｎｄ  Ｄ
ｒｕｃｋｔｅｃｈｎｉｋ”，Ｄｕ  Ｍｏｎｔ  Ｖｅｒｌａｇ．，ＫOｌｎ，１９８５。
【０００７】
米国特許第５，３０９，２４６号は、様々な固体インク濃度でハーフトーンを印刷する
ことにより、拡張色域を達成するための方法を説明する。かかる様々な濃度のＣＭＹＫ原
色（ｐｒｉｍａｒｙ）は、バランスのとれた中性外観（ｎｅｕｔｒａｌ  ａｐｐｅａｒａ
ｎｃｅ）を生成するために使用されるのではなく、標準のＣＭＹＫ刷り重ねに比べて、高
い彩度または固有の色相で刷り重ねを生成するために使用され得る。
【０００８】
米国特許第５，６８９，３４９号は、Ｐａｎｔｏｎｅ  ＰＭＳ（登録商標）カラーがど
のように４つの標準プロセスカラー（ＣＭＹＫ）のうちの１つを置換できるかを説明する
が、スポットカラーとプロセスカラーの組合せに関しては何も開示していない。
【０００９】
米国特許第５，７３４，８００号は、４つの標準プロセスカラー（ＣＭＹＫ）の色域が
、Ｐａｎｔｏｎｅ  Ｈｅｘａｃｈｒｏｍｅ（登録商標）（前述した）として商業的に知ら
れている、２つの追加のプロセスカラー（ＯＧ）を追加することにより、どのように拡張
できるかを説明する。
【００１０】
米国特許第５，７５１，３２６号は、ＲＧＢ空間内でスキャンされた画像を、ＣＭＹＫ
ＲＧＢインクから成るプロセスインクセットのための印刷組版のセットに変換するための
方法を説明する。しかし、拡張色域プロセスセットをスポットカラーにどのように変換す
るか、またはスポットカラーを拡張色域プロセスセットにどのように組み込むかに関して
は言及されていない。プロセス原色（ｐｒｏｃｅｓｓ  ｐｒｉｍａｒｙ）は特定のＰａｎ
ｔｏｎｅ（登録商標）ＰＭＳ（登録商標）色見本を参照することにより定義される。
【００１１】
米国特許第５，８１２，６９４号は、色再現装置のための着色剤選択アルゴリズムを説
明する。そのアルゴリズムは、原色の範囲を調べ、それらの原色の全ての合理的なサブセ
ットを選択して所与のスポットまたはラインカラーに最も安定した適合をもたらし、印刷
組版の生成において使用されるステップは、プロセスセットを使用してスポットカラーを
再現することに必要とされる。しかし、同様に、スポットカラーを、所与のプロセスカラ
ーセットの代替または拡張としてどのように使用するかに関して説明がない。
【００１２】
米国特許第５，８７０，５３０号は、追加のプロセスインクセットで刷り重ねることに
より、ＣＭＹＫインク原色の色域を拡張するために、拡張色域７色プロセスセットにおけ
るプロセス原色の二次セットの使用を説明する。システムは、ＣとＹとの間の色空間のプ
ロセス領域をＧプロセス原色の刷り重ねで「埋める」印刷組版を作成するために使用され
る。それは、スポットカラーをプロセスカラーとどのように適合させるか、またはスポッ
トカラーを拡張色域プロセスインクセットにどのように組み込むかを教示していない。好
ましい実施形態はデジタル電子写真印刷装置用であるので、印刷組版は、仮想組版である
。
【００１３】
米国特許第５，８９２，８９１号、米国特許第５，８７０，５３０号（前述した）の継
続は、６色または７色プロセス印刷のための厳密なアルゴリズムを説明する。追加として
、この特許は、従来の色分解技術が印刷組版を作成するために適用され得るように、プロ
セス原色の数を６色または７色から４インクの複数のサブセットにどのように減らすかを
説明する。この発明は、プロセスセット内でのスポットカラーの使用を説明していない。
【００１４】
米国特許第６，３０７，６４５号は、６色または７色プロセスセットのためのハーフト
ーンスクリーンの作成方法を説明する、米国特許第５，８７０，５３０号の継続である。
この発明は、５つ以上の原色インクを、追加のハーフトーンスクリーニング要件を必要と
することなく、４色インクと組み合わせて同時に使用される場合に、ＣＭＹＫインクセッ
トの１つまたは複数のスクリーニング特性を追加のインクに割り当てることにより、印刷
する方法を教示する。同様に、これは、スポットカラーおよびスポットカラーのプロセス
セットへの置換を説明していない。説明される方法は、スクリーン特性がデジタルコンピ
ュータコードを介して変更できる、デジタル電子写真印刷で使用されるので、それが仮想
印刷組版の使用に基づくという制約に悩まされる。オフセット印刷、フレキソ印刷または
グラビア印刷技術を使用した従来のパッケージ印刷用途では、印刷組版は、全ての印刷領
域に対して固定される。従って、例えば、Ｏインクは、印刷されている画像の１つのエリ
ア内でＭスクリーンを使用し、同一の画像の異なるエリア内でＣスクリーンを使用し得る
。これは、デジタル印刷では達成可能であるが、従来の印刷では簡単に達成することはで
きない。
【００１５】
米国特許第６，５３０，９８６号は、従来のＣＭＹＫインクセットに比べて改善された
耐光堅牢度および拡張された色域を備えた顔料に基づく、インクジェット印刷用の６色イ
ンクのセットを開示する。
【００１６】
米国特許第６，６３７，８５１号は、従来の連続階調画像データの代わりにデジタル画
像データを使用した、色分解アルゴリズムの別の形式を説明する。説明される技術は、ス
ーパーピクシレーションまたはディザリングとして知られているプロセスにおいて、対に
なったプロセスインクセットを使用し、画像の所定のエリア上に色を統計的に分配するこ
とに関する。これは、ＦＭスクリーニングとして知られる従来のパッケージングで使用さ
れるプロセスであり、例えば、ＦＭｓｉｘ（登録商標）などのブランドの付いたプロセス
に組み込まれている。
【００１７】
米国特許出願第２００４／０１１４１６２号および欧州特許１３６４５２４は、ＦＭｓ
ｉｘ（登録商標）印刷プロセスを説明し、その印刷プロセスでは、スポットカラーがハイ
ファイプロセスセットに適合され、（ｉ）写真画像データが従来のＣＭＹＫハーフトーン
処理を使用して印刷され、（ｉｉ）ロゴおよびブランドカラーが拡張色域印刷セットおよ
びデジタル周波数変調ハーフトーン処理を使用して印刷される。この方法は、６  ＣＩＥ
ＬＡＢ色差単位の精度で全ての既知のスポットカラーの８５％を再現すると言われている
。それは、スポットカラーの拡張色域の二次セットとしての使用を教示していない。
【００１８】
米国特許第７，１２３，３８０号は、３または４次元色空間（ＲＧＢまたはＣＭＹＫ）
内で定義された画像における色の、５以上の次元または着色剤によって定義される色空間
への変換を説明する。これは、１つの色空間の色域を第２および第３の色空間の色域内へ
の、または色域上へのマッピングに基づく色分解プロセスである。このアプローチは、従
来のＣＭＹＫ画像を取り、それを５つ以上の原色を使用するデジタル校正刷り装置に移し
て、校正刷り用により大きな色域を取得する。説明される方法は、スポットカラーの適合
またはスポットカラーの拡張色域として使用については議論していない。
【００１９】
米国特許第７，１６４，４９８号Ｃｏｌｏｒ  Ｍａｔｃｈｉｎｇ  ｆｏｒ  ａ  Ｐｒｉ
ｎｔｉｎｇ  Ｐｒｏｃｅｓｓ  Ｕｓｉｎｇ  Ｍｏｒｅ  ｔｈａｎ  Ｆｏｕｒ  Ｃｏｌｏｒ
ａｎｔｓ  Ｕｓｉｎｇ  ａ  Ｆｏｕｒ−Ｃｏｌｏｒａｎｔ  Ｃｏｌｏｒ  Ｍａｎａｇｅｍ
ｅｎｔ  Ｓｙｓｔｅｍは、ＲＧＢ画像を取り、それを、ＩＣＣプロファイル法の変形を利
用する複数の出力装置上にマッピングすることを説明する。それは主として、「仮想ＣＭ
ＹＫ」プロファイルを伴うデジタル色分解のための方法である。この概念は、実際のＣＭ
ＹＫＯＧまたはＣＭＹＫＲＧＢ拡張色域のいずれよりも大きい、理想的で、達成不可能な
ＣＭＹＫ色域を備えた印刷システムを定義する。次いで、非現実的なＣＭＹＫを実際の拡
張色域プロセス原色セットにマッピングするために、色域圧縮が使用される。スポットカ
ラーまたはプロセスセット内でのスポットカラーの使用に関しては何の説明もない。
【００２０】
米国特許第７，１９９，９０３号は、一連の刷り重ねられたプロセス原色の色および外
観の数値予測のための方法を説明する。この教示は、印刷装置上で所望の色を再現するプ
ロセスインクの範囲の組合せを生成する印刷組版の作成に適用される。その教示は、スポ
ットカラーの適合またはスポットカラーのプロセスセット内での使用を開示または特定し
ていない。
【００２１】
米国特許第７，５３５，５９６号は、４つ以上の着色剤を有するカラー画像装置に対し
て着色剤制御値を判断するための方法を説明する。この方法は、３チャネル色空間を通る
経路のセットに対してカラーマッピングを定義すること、３チャネル色空間値をカラー画
像装置の４つ以上の着色剤に対する着色剤制御値に関連付ける３チャネル色空間に対する
カラーマッピング機能を、経路のセットに対して定義されたカラーマッピング間を補間す
ることにより定義すること、３チャネル色空間値を装置に依存しない色値に関連付ける順
方向３チャネルカラーモデルを形成すること、装置に依存しない色値を３チャネル色空間
値に関連付ける逆３チャネルカラーモデルを判断するために順方向３チャネルカラーモデ
ルを反転すること、および逆装置カラーモデルを判断するために逆３チャネルカラーモデ
ルとカラーマッピング機能を組み合わせることを含む。
【００２２】
米国特許第７，８９８，６９２号は、最大で５色の画像分離を備えたモアレなしカラー
ハーフトーン印刷のための方法および装置を開示する。この方法および装置は、モアレが
なく、ロゼットを形成する出力を生成するために、複数の非直交ハーフトーンスクリーン
を利用する。この方法および装置は、ハーフトーンスクリーンセット出力がモアレのない
ロゼットを形成するように、第１および第２のカラーハーフトーンスクリーン基本周波数
ベクトルを３つのハーフトーンスクリーンの各々に対して定義すること；次いで、第４の
カラーハーフトーンスクリーンを定義することであって、その第４のスクリーンの第１の
基本ベクトルが基本周波数ベクトルを前記３つのハーフトーンスクリーンのうちの１つと
共有し、第４のスクリーンの第２の基本周波数ベクトルが基本周波数ベクトルを前記３つ
のカラーハーフトーンスクリーンのうちの異なる１つと共有する、第４のカラーハーフト
ーンスクリーンを定義すること；および第５のカラーハーフトーンスクリーンをさらに定
義することであって、その第５のスクリーンの第１の基本ベクトルが基本周波数ベクトル
を前記３つのハーフトーンスクリーンのうちの１つと共有し、第５のスクリーンの第２の
基本周波数ベクトルが基本周波数ベクトルを前記３つのカラーハーフトーンスクリーンの
うちの異なる１つと共有し、かつ、第５のスクリーンの基本周波数ベクトルのいずれも第
４のスクリーンの基本周波数ベクトルのいずれとも等しくない、第５のカラーハーフトー
ンスクリーンをさらに定義すること、を提供する。
【００２３】
米国特許第７，９９０，５９２号は、画像マーキング装置用にスポットカラーを管理す
るための方法、システムおよび機器を開示する。具体的には、開示されるのは、利得マト
リックスＫを複数の利得マトリックスから選択することを含むスポットカラー制御方法で
あり、利得マトリックスＫが、対象とするスポットカラーのレンダリングと関連付けられ
た性能基準を満足するように選択され、性能基準は、対象とするカラーに対するレンダリ
ングされたスポットカラーと関連付けられた許容可能なスポットカラー誤差を含み、許容
可能なアクチュエータエネルギーが、許容可能なスポットカラー誤差およびスポットカラ
ーをレンダリングするために許容可能な総トナー／インク使用を達成するために利用され
る。
【００２４】
同様に、米国特許第５，７３４，８００号は、６色の非標準インクを使用した印刷プロ
セスに言及し、その印刷プロセス内では、ブラックがＰａｎｔｏｎｅ  Ｐｒｏｃｅｓｓ  
Ｂｌａｃｋであり、３〜５色のカラーインクが、所定の割合の蛍光性を有する標準Ｐａｎ
ｔｏｎｅインクのセットから選択されている。この特許は、マゼンタ、オレンジおよびグ
リーン全てが有意水準の蛍光性を示す、好ましい実施形態を説明する。この非標準のイン
クセットは拡張色域を提供するが、当業者には、かかる着色剤は、照明の品質に対して不
安定であり、異なる照明源下で著しく異なる外観を生じることが良く知られている。同様
に、これは、グレーのレベルが印刷工場のある部分と別の部分で、または屋内と屋外で変
わるので、中性に近いプレス校正を達成することを困難または不可能にする。
【００２５】
米国特許第５，５７１，３２６号は、ＲＧＢカメラまたはスキャナ画像から、７原色（
ＣＭＹＫＲＧＢ）を有する色空間への色分解を作成するためのシステムおよび方法を開示
する。請求項は、７原色の装置依存色空間による以外、任意の特定のインクセットを指定
していない。これは、特定の７色の装置依存インクセットが特定されていないことを除い
て、前述した米国特許第５，６８９，３４９号の狭い特化である。明細書では、Ｐａｎｔ
ｏｎｅ  Ｗａｒｍ  Ｒｅｄ（オレンジ）、Ｐａｎｔｏｎｅ  Ｇｒｅｅｎ  ＰＭＳ  ３４７
（標準シアンと標準イエローの混合）およびＰａｎｔｏｎｅ  Ｂｌｕｅ  ＰＭＳ  ２９３
（標準シアンと反射性ブルー着色剤の混合）のような標準ＣＭＹＫを超えた拡張インクの
セットを利用し得る一実施形態が説明される。このシステムは、ＣＭＹＫ原色の標準セッ
トを使用することにより中性に近いバランスを維持すると主張し、次いで、イエローシェ
ードレッド（オレンジ）、グリーンおよびレッドシェードブルー原色を追加することによ
りそのセットの色域を拡張する。本発明では、５つの原色のみが必要とされ、４つの提案
された原色の色域が、この特許における４つの標準原色を使用して達成可能なものを超え
て拡張される。
【００２６】
米国特許第５，８９２，８９１号は、２または３色を標準ＣＭＹＫインクセットに追加
することにより、拡張色域を印刷するためのシステムを説明する。それは、基板のマーク
において４色を超えるインクが決して関与しないように、拡張インクのどれだけが、ＣＭ
ＹＫインクのうちの３色と一緒に印刷されるべきかを予測するための数学的プロセスを含
む。そのため、基本的に、ここでの発明は、６または７つの色空間次元に分解された画像
を取り、それらの７次元をわずか４次元に減らす機能である。同様に、この発明は、第１
のセットのインクに関して、それらを標準ＣＭＹＫとして言及する以外、何の要件も作っ
ていない。その結果、その発明されたアルゴリズムを使用すると、印刷エンジン、インク
ジェットまたは電子写真エンジンなどのデジタル印刷システムは、決して４つ以上の印刷
ステーションを同時に駆動しない。好ましい実施形態は、５つだけの印刷原色が関与する
ので、印刷ステーションの数を制限する必要がない。
【００２７】
最後に、米国特許第６，５３０，９８６号は、５つの有彩色インクおよび１つのブラッ
クインクから成る水性インクセットを説明する。インクは、それらの装置依存の色空間に
関して分類されない。しかし、インクセットは、インクの色相名によって、およびインク
で使用される着色剤によって定義される。そのため、それらは、ＣＩ  Ｐｉｇｍｅｎｔ  
Ｂｌｕｅ  １５：３、１５：４、１６、７６または７９のうちのいずれかまたは混合物を
使用したシアンインク；ＣＩ  Ｐｉｇｍｅｎｔ  Ｒｅｄ  １２２、２０２、２０７、２０
９またはＣＩ  Ｐｉｇｍｅｎｔ  Ｖｉｏｌｅｔ  １９を使用したマゼンタインク；ＣＩ  
Ｐｉｇｍｅｎｔ  Ｙｅｌｌｏｗ  ７４、１０９、１１０、１３８または１５５を使用した
イエローインク；ＣＩ  Ｐｉｇｍｅｎｔ  Ｇｒｅｅｎ  ７または３６のうちの一方または
両方を使用したグリーンインク；およびＣＩ  Ｐｉｇｍｅｎｔ  Ｏｒａｎｇｅ  ３４、３
６、４３、６１、６４、または７１を使用したオレンジインクを主張する。これらのイン
クは、インクジェット印刷システムでの使用を意図する。しかし、米国特許第６，５３０
，９８６号で指定された着色剤の、全部ではないが、ほとんどが外国産であり、出版また
はパッケージ印刷用途のいずれに対しても高価すぎる。
【００２８】
要約すると、色域を拡張するための従来技術の方法およびシステムは、原色を調整しな
い。むしろ、それらは、単に追加のプロセス原色を追加する。これは、理論上は役に立つ
ように見え得るが、実際には、多くの場合、追加のプロセス原色用に使用するために、容
易に入手可能であって、有用な特性を有する、顔料を見つけることは困難である。さらに
、多くのかかるシステムは、複数の追加のプロセス原色も追加し、従って、多すぎる印刷
ステーションを占有する。
【００２９】
当技術分野で必要とされるのは、従来技術のこれらおよび他の問題を回避する新規のプ
ロセス印刷インクセットである。
【発明の概要】
【課題を解決するための手段】
【００３０】
標準の４色プロセス印刷の色域を拡張する方法を提示する。本方法は、このようにして
、様々な新規のプロセス印刷インクセットをもたらす。例示的な実施形態によれば、第６
または第７の原色インクを既存の４色インクセットに追加する必要なく、拡張色域が提供
できる。いくつかの実施形態では、拡張色域は、４つの基本原色インクの色を変更して、
第５の原色インクを追加するだけで、達成できる。このように、５色のプロセスインクだ
けを使用して、例えば、スポットカラー印刷のため、またはオーバープリントワニス用途
のためにより多くの空いた印刷ステーションを備えた標準的なパッケージプリンタを提供
する。別の例示的な実施形態では、第６のプロセスカラーが発明の５色インクセットに追
加され得る。
【図面の簡単な説明】
【００３１】
【図１】シアン、マゼンタ、イエローおよびブラック（ＣＭＹＫ）の標準４色プロセス印刷セットを示し、ＣＭＹが、ＣＩＥＬＡＢ色空間内の色相角として示されている。
【図２】追加のＲＧＢ原色を追加することにより、図１に示す標準ＣＭＹ原色の色域を拡張する従来のアプローチを示し、図に示すように、ＲＧＢ追加原色がＣＭＹ原色の各対間に位置付けられて、同一のＣＩＥＬＡＢ色空間内に示されている。
【図３】プロセス４原色の標準ＣＭＹＫセットのＣＩＥ  ＣＩＥＬＡＢ（ａ＊，ｂ＊）図上への２次元色域投影を示す。
【図４】（ｉ）プロセス４原色の標準セット、および（ｉｉ）本発明の例示的な実施形態による新しいプロセス４原色の新規セットの各々のＣＩＥ  ＣＩＥＬＡＢ（ａ＊，ｂ＊）図上への２次元色域投影を示す。
【図５】完全な色域投影に対して、および６０単位投影のＬ＊に対して、標準ＣＭＹＫ原色インクにオレンジインクを加えたもの（暗い線）、ならびに発明のプロセス４原色に同じオレンジインクを加えたもの（明るい線）のＣＩＥ  ＣＩＥＬＡＢ（ａ＊，ｂ＊）図上への２次元色域投影を示す。
【図６】新規のプロセス４原色ならびにオレンジ原色を追加した同じセットのＣＩＥ  ＣＩＥＬＡＢ（ａ＊，ｂ＊）図上への２次元色域投影を示し、従って、オレンジ原色の追加がどのように、イエローおよびマゼンタ原色の新しい色相へのシフトを補うかを示す。
【図７】新規のプロセス４原色、オレンジ原色およびバイオレット原色のＣＩＥ  ＣＩＥＬＡＢ（ａ＊，ｂ＊）図上への２次元色域投影を示す。
【発明を実施するための形態】
【００３２】
本発明は、拡張色域を提供するための新規のプロセスインクセットを含む。いくつかの
例示的な実施形態では、拡張色域が、既存の４色インクセットに第６または第７の原色イ
ンクを追加する必要なく、提供できる。他の例示的な実施形態では、拡張色域は、４つの
基本原色インクの色を変更して、第５の原色インクを追加するだけで、達成できる。本発
明の例示的な実施形態のこれらおよび他の特徴を次に説明する。
【００３３】
本発明の例示的な実施形態では、インクは好ましくは、安定した、非蛍光性着色剤から
作られていて、安定した中性外観を提供すると予期され得、店舗、家庭および屋外ディス
プレイにおいてさえ、通常の光レベルへの露出に対して耐光性があるように生成され得る
。
【００３４】
本発明の例示的な実施形態は、例えば、オフセット印刷、フレキソ印刷またはグラビア
印刷技術を使用するものなどの、従来のパッケージ印刷用途で利用できる。
【００３５】
多くの商業用プリンタ（特にパッケージプリンタ）は、わずか６つの印刷ステーション
しか備えていないプレスを有することに留意されたい。これは、標準プロセス原色が４つ
のステーションを占有し、２つのステーションが、一般に、カスタムブランドもしくはス
ポットカラーインクを印刷するため、または画像を透明な保護コーティングで刷り重ねす
るために、利用できるようにしておくためである。しかし、プリンタが６色プロセスセッ
トを導入すると、スポットカラーまたは特殊コーティングを印刷するために残しておかれ
るステーションはない。本発明は、拡張色域を獲得するために、５つの印刷ステーション
だけを必要とするので、１つの印刷ステーションを空けたままにしておく商業上の利点を
有し、それは、その結果、特殊カラーを印刷するため、または透明なオーバープリントワ
ニスをその下の画像保護のために適用するために利用できる。
【００３６】
従来の方式で、４色プロセス印刷に対する最も一般的な原色のセットは、シアン、マゼ
ンタ、イエローおよびブラックである。これらの色は、国際協定によって文書化および標
準化されている。これらの規格に従って、色の位置、特に原色の色相が固定されている。
従って、シアンの色相は、ＣＩＥＬＡＢ色相角（水平ａ＊軸から測定して）２３４°±５
°として与えられ；マゼンタの色相角は３５６°±５°として与えられ；かつ、イエロー
の色相角は９４°±５°として与えられる。原色のこのセットは、図３に示すように、再
現可能な妥当な色域を構成できるが、色域は、オレンジ（５０°）、グリーン（１８０°
）およびバイオレット（２９５°）が観察される領域内で幾分欠けていることが分かる。
従って、これらの位置またはその近くにプロセス原色を追加すると、より大きい、すなわ
ち拡張された色域を生じることが提案されている。
【００３７】
しかし、かかる提案は、プロセス原色数を４色から７色に増やし得、それは、標準の６
ステーションのセットアップに対して受け入れられず、空いている第６のステーションの
考えられる使用を排除する。従って、原色数を７色からもっと少ない数に減らそうと試み
ることは、グラフィック複製産業の切望である。現在まで、唯一の成功した減少は、７原
色から６原色までである。依然として、拡張色域原色の標準セットはない。いくつかの業
務用セットは、Ｐａｎｔｏｎｅ（登録商標）Ｈｅｘａｃｈｒｏｍｅ（登録商標）６色セッ
ト、Ｈａｌｍａｒｋ（登録商標）ＢｉｇＴｏｐ６色セット、Ｏｐａｌｔｏｎｅ７色セット
およびＭ  Ｙ  Ｃａｒｔｏｎ’ｓ  ＦＭ６  ７色セット（いわゆるブラック印刷ステーシ
ョンを無視することによるＦＭ６）を含むことに留意されたい。これらの技術の各々は、
追加の２または３原色の近辺に色の範囲を生成するために、良好なレジストレーションを
有するプロセス印刷が実行されるように、６または７つの印刷ステーションのいずれかを
設定および調整することを必要とする。しかし、これらの事例の各々では、拡張インクセ
ットの目的は、カスタムまたはスポットカラーインクに対する必要性を、標準プロセスカ
ラーを追加の拡張色域プロセスカラーで刷り重ねることから、それらの特殊カラーを構築
することにより、それらを再作成することによって置換または除去することであった。一
般に、画像の再現は、このように、４色プロセスとして維持され、最初の４色インクは、
４色プロセス印刷に対する国際規格に準拠する。
【００３８】
本発明の例示的な実施形態では、４色プロセスカラーの色を再定義することにより、イ
ンクの数を６から５原色に減らすことが可能である。２色および３色の刷り重ねが、予期
された二次色および三次色を生成したように、ＲＧＢ画像のＣＭＹＫプレートへの分解を
生じる技術は、国際規格色相角に近いインクに依存するので、歴史的に、かかる再定義は
、受け入れられないと考えられていた。例えば、米国特許第５，６８９，３４９号は、プ
リンタが選択的な拡張色域で画像を実行するのを可能にすることを目的に、元のＣＭＹＫ
装置依存の色空間を新しい装置に依存しない色空間にマッピングし、次いで、それを第２
の装置に依存しない色空間に変換して、最終的に第２の装置依存の色空間に変換するため
の方法および機器を開示する。特に、最終的な装置依存の色空間またはインクセットは、
グリーンを再現することが全くできないが、ブラウンを再現する機能は拡張または強化さ
れ得る。
【００３９】
しかし、本発明の例示的な実施形態では、色域は、少なくとも標準ＣＭＹＫ色空間と同
じ大きさで、好ましくは、ずっと大規模で提供できる。中性に近い校正として知られてい
る、プレス校正の方法があり、それは、ハーフトーン割合（５０：４０：４０）での３色
インク（ＣＭＹ）の刷り重ねが、ブラックインクの５０ハーフトーンと同一であるか、ま
たはそれと同じ中性外観に非常に近いものを有する色となるはずであることをアサートす
る。かかるインクセットは、例えば、米国特許第５，６８９，３４９号によって定義され
るように、明らかにこのプレスまたは印刷システム校正を達成することができないであろ
う。逆に、本発明の例示的な実施形態は、拡張色域を提供することが完全に可能であり、
依然として、かかる中性に近い校正要件への適合を提供する。
【００４０】
前述のように、従来の方式では、拡張色域プロセス印刷インクセットは、新しい原色イ
ンクをプロセスセットに追加することにより獲得される。これらのインクは、例えば、次
のうちの２つまたは３つであり得る：（ｉ）オレンジまたはイエローレッド、（ｉｉ）グ
リーン、（ｉｉｉ）レディッシュブルーおよび（ｉｖ）バイオレット。従って、従来の完
全な拡張色域セットは、ブラック原色に加えて、５または６色の原色を必要とする。本発
明の例示的な実施形態では、従来の拡張６色もしくは７色インク色域と均等であるか、ま
たは拡張された色域を提供するために、４つの基本原色の色が標準インク位置から離れて
シフトでき、そして、１色または２色のインクが追加でき（計５〜６色）、このようにし
て、少なくとも１つ、可能であれば２つの、プレス上の印刷ステーションを他の使用のた
めに確保する。これは、追加の印刷ステーションまたは完全に新しいプレスを購入する必
要なく、プリンタまたは変換器が、既存の印刷室設備の有用性を拡張することを可能にす
る。
【００４１】
本発明の好ましい実施形態では、マゼンタ原色は、０度を数度上回る色相角を有する、
色空間内のその位置から、３６０度をはるかに下回る色相角へシフトでき、このようにし
て、ハーフトーン刷り重ねによって作成できるバイオレット色のボリュームを増やす。ま
た、シアン原色は、その２３４度に近い位置から、例えば、２２０度を下回るなどの、ず
っとグリーンの色相角にシフトでき、このようにして、ハーフトーン刷り重ねによって作
成できるグリーン色のボリュームを増やす。最後に、イエロー原色は、任意選択で、わず
かにグリーンの方にシフトされ得、このようにして、色相角を、９４度のイエロー軸から
ちょっと離れた標準位置から、９５度よりも大きい角度に移動する。これは、従来技術で
説明されるグリーン原色を追加する必要なく、シアンおよびイエロー原色の刷り重ねによ
って再現できるグリーンの色域をさらに拡張する。
【００４２】
次に説明する、図１〜図７は、本発明の例示的な実施形態のこれらおよび他の特徴を図
示する。
【００４３】
図１〜図２は、ＣＭＹＫプロセス印刷の色域を拡張しようと試みる従来技術を図示する
。三刺激値から始まって、色を、ｌａ，ｂ座標に数学的に変換して、例えば、ＣＩＥＬＡ
Ｂ色空間内のポイントとして表示できる。図１は、かかる２Ｄスライスを示し、最も普通
に使用される原色がシアン、マゼンタ、イエローおよびブラック（「ＣＭＹＫ」）である
プロセス印刷の方法を図示する。図１に示すように、ＣＭＹは、ＣＩＥＬＡＢ色空間内の
色相角として示され得、ブラックは、図１では、黒い円によって右側に表されている。Ｃ
ＭＹ原色は、「Ｃ」、「Ｍ」および「Ｙ」として適切にラベル付けされている。前述のよ
うに、標準の４色プロセス印刷に対して、色域は制限されており、さらに多くの色を追加
することにより色域を拡張できる。問題は、それらをどこに追加するか、である。
【００４４】
図２は、上で言及した、従来のＯｐａｌｔｏｎｅ（商標）アプローチを図示し、それは
、追加のＲＧＢ原色を、図のように、標準ＣＭＹ色相の間に間隔を空けて追加することで
ある。この従来のアプローチに関する問題は、論理上は魅力的に見え得るが、実際には、
図のように、追加のＲＧＢ原色を実施するために容易に入手可能な顔料が多くの場合ない
ことである。例えば、図２で追加のＲＧＢ原色に対して示されている色相では、グリーン
に対して１つの選択肢しか存在せず（ＣとＹとの間に配置するため）、それ、Ｐｉｇｍｅ
ｎｔ  Ｇｒｅｅｎ  ７は、単位顔料重量あたり低い色の濃さしか有していない。これは、
Ｐｉｇｍｅｎｔ  Ｇｒｅｅｎ  ７は、その４つの外側のベンゼン環の各々上に４つの塩素
原子を有するためである。同様に、ＣとＭ原色の間に配置するきれいな反射性ブルーシェ
ード顔料に対する明らかな選択肢がない。
【００４５】
従って、本発明の例示的な実施形態では、色域を拡張するために追加のプロセス原色を
追加するために、既存の原色がまず、色空間内でシフトされる必要があり、次いで、１つ
または２つの適切な追加のプロセス原色が追加でき、そのプロセス原色に対して、顔料が
、容易に入手可能であって、標準のシフトされていないＣＭＹ色相および追加のプロセス
原色に対して使用される様々な顔料と類似した特性などの、許容可能な特性を有する。
【００４６】
図３は、プロセス４原色の同じ標準セット、ＣＭＹＫのＣＩＥ  ＣＩＥＬＡＢ（ａ＊，
ｂ＊）図上への２次元色域投影を同様に示す。シアン、マゼンタおよびイエロー原色の位
置が、ブルーに見える、Ｃ＆Ｍ、レッドに見える、Ｍ＆Ｙ、およびグリーンに見える、Ｙ
＆Ｃ、の２色刷り重ねカラーと共に示されている。図３は、従って、標準４色プロセス印
刷インクの色域の２Ｄ投影を示す。
【００４７】
図４は、プロセス４原色の標準セット、および新しいプロセス４原色の新規セットの両
方のＣＩＥ  ＣＩＥＬＡＢ（ａ＊，ｂ＊）図上への２次元色域投影を示す。投影された色
域の内側の小さい色域は、６０単位のＣＩＥメトリック明度Ｌ＊と同等な、中間明度レベ
ルでの色域である。標準色域は暗い（黒）線で示され、新しい色域は明るい（白）線で示
されている。図４は、標準４色セットと比較した、４色プロセス印刷インクの好ましい実
施形態セットの色域の２Ｄ投影を示す。図に示すように、イエロー原色のグリーンへのシ
フト、およびマゼンタ原色のブルーへのシフトは、レッドおよびオレンジ色のより小さい
色域という結果になる。従って、本発明のいくつかの例示的な実施形態では、レッド色を
取り戻すため、およびオレンジ色を拡張するために、レディッシュオレンジ原色をプロセ
ス４色に追加することが好まれ、イエローイッシュオレンジ色がマゼンタおよびオレンジ
原色のハーフトーン刷り重ねまたはオレンジおよびイエロー原色のハーフトーン刷り重ね
によって生成される。
【００４８】
図５は、完全な色域投影および６０単位投影のＬ＊の各々について、標準ＣＭＹＫ原色
インクにオレンジインクを加えたもの（暗い線）、ならびに発明のプロセス４原色に同じ
オレンジインクを加えたもの（明るい線）のＣＩＥ  ＣＩＥＬＡＢ（ａ＊，ｂ＊）図上へ
の２次元色域投影を示す。図５は、従って、５色プロセス印刷インクの好ましい例示的な
実施形態セットの２Ｄ投影された色域を示す。
【００４９】
図６は、新規のプロセス４原色およびオレンジ原色を追加した同じセットのＣＩＥ  Ｃ
ＩＥＬＡＢ（ａ＊，ｂ＊）図上への２次元色域投影を示す。これは、前述のように、オレ
ンジ原色の追加がどのように、イエローおよびマゼンタ原色の新しい色相へのシフトを補
うかを示す。
【００５０】
最後に、図７は、新規のプロセス４原色、オレンジ原色およびバイオレット原色のＣＩ
Ｅ  ＣＩＥＬＡＢ（ａ＊，ｂ＊）図上への２次元色域投影を示す。バイオレット原色の追
加は、６つの印刷ステーションの要求を費やして、色域をさらに拡張できる。これは、バ
イオレット原色の色空間内における位置の周囲に色の小さい角を得る。
【００５１】
好ましい例示的な実施形態では、本発明のインクセットは、フレキソ印刷、特に、フレ
キソ包装材料の印刷のために使用されるであろう。しかし、本発明のインクセットは、こ
の適用エリアに限定されず、従って、実質的には、プロセス印刷が実施される任意のエリ
アで使用できることが理解される。これは、グラビア、リソグラフィ、インクジェット、
スクリーンなどを含むが、それに限定されず、溶剤系インク、水性インク、酸化乾燥イン
ク、エネルギー硬化型インクの処理などを包含することも意図する。
【００５２】
さらに、本発明のインクセットが適用され得る順序に制限はなく、例示的な個々のイン
クは、ほぼ任意の順序で適用され得、依然として本発明の範囲内であることが理解される
。
【００５３】
本発明の様々な例示的実施形態はＣＩＥＬＡＢ色空間内で表現されてきたが、それらは
、色相を指定して定量化するための任意のシステムでも同様に表現できることが理解され
る。従って、前述し、以下の例におけるように、ＣＩＥＬＡＢ色空間を使用して説明され
た、原色の色相の新規シフト、および新たに追加されたプロセス原色は、例示であること
が理解され、任意の他の既知のカラーシステムにおける、色相および色相のシフトの任意
の同等な表現が、本発明の完全に範囲内であることが理解される。本発明は、従って、任
意の１つのカラーシステムでの表現に限定されないことが理解される。
【００５４】
例
以下は、本発明のいくつかの例示的な実施形態の特定の態様を強調する実例である。そ
れらはその範囲を制限するのではなく、例示にすぎないことを理解されたい。
【００５５】
標準インクセットを使用してＡＮＳＩ  ＩＴ８／７．４テストチャートを印刷すると、
プロセス印刷セットのボリュームが判断できる。ＣＭＹＫインクは、トーンステップの単
色の連続として、および２色または３色の刷り重ねトーンとしての両方で印刷され、ＣＩ
ＥＬＡＢ  Ｌ＊ａ＊ｂ＊座標が商業印刷特性化機器およびソフトウェアを使用して読み取
られる。測定データに基づき、標準ＣＭＹＫインクセットは、およそ３０８，７０２の３
次元ＣＩＥＬＡＢ単位のボリュームを包含する。同じチャートおよび分析プロセスを使用
すると、本発明による好ましい例示的な実施形態は、３１５，９９５の３次元ＣＩＥＬＡ
Ｂ単位の色域を生成し、色域において２．３％増である。レディッシュオレンジ原色を追
加すると、新しい原色を有する色域は３７４，０６１の３次元ＣＩＥＬＡＢ単位まで増加
するが、他方、オレンジ原色を標準ＣＭＹＫインクセットに追加すると、３６５，２７５
だけの３次元ＣＩＥＬＡＢ単位の色域をもたらす。このように、発明のインクセットは、
１０，０００に近い３次元ＣＩＥＬＡＢ単位の獲得を実現し、それは、２．４％の獲得と
同じである。従って、原色の回転に起因した色域における拡大は、それがオレンジ、ブル
ーまたはバイオレットの第５または第６の追加の原色から生じているかにかかわらず、各
続いて起こる原色セットを通して達成される。
【００５６】
テスト目的で、印刷は以下のプロトコルを使用して準備された。ＣＭＹＫインクが、フ
レキソ中央印象プレス上に印刷されて、水性インクが１００ｍ／分で、単色として、なら
びに２色および３色刷り重ねとしての両方で、板紙上に印刷し、ＴＣ１８６０−ＣＭＹＫ
＿Ｅｙｅ−Ｏｎｅ＿ｉＯ  Ｇｒｅｔａｇ  Ｍａｃｂｅｔｈテストチャートのセットを印刷
した。これらのチャートは、Ｘｒｉｔｅ  ｉ１ｉＯ自動チャート読取り分光光度計を使用
して読み取られた。出力データが、ＣｏＰｒＡ  ＣｏｌｏｒＬｏｇｉｃソフトウェアを使
用してＩＣＣプロファイルに変換された。異なるプロセス印刷セットに対するＩＣＣプロ
ファイルが、ＤｏｃＢｅｅｓ  Ｐｒｏｆｉｌｅ  Ｍａｎａｇｅｒソフトウェアを使用して
比較された。これは、３次元ＣＩＥＬＡＢ単位として測定された、総色域ボリュームに対
する出力、および２次元（異なるＬ値におけるａ＊，ｂ＊プロット）または３次元Ｌ＊，
ａ＊，ｂ＊空間のいずれかにおいて、色域形状を比較する機能も与えた。同じタイプのチ
ャートが生成されたが、５色および６色印刷用に適合されて、同じ分析プロセスが５色お
よび６色プロセスセットに対する色域を生成した。
【００５７】
前述のように、本発明の例示的な実施形態によるインクセットは、この（または任意の
１つの）プロセスに限定されず、実質的には、プロセス印刷が実施される任意の印刷用途
で使用できる。
【００５８】
テスト目的で、標準４色プロセスセットとして使用されたＣＭＹＫインクは、顔料カラ
ーインデックス番号：ＰＢ１５：３、ＰＲ５７：１、ＰＹ１３およびＰＢｋ７であった。
発明の４色プロセスセットの例は、顔料カラーインデックス番号：ＰＢ７９、ＰＲ１２２
、ＰＹ７４、ＰＢｋ７を使用する。新しい５色プロセスセットの例は、顔料カラーインデ
ックス番号：ＰＢ７９、ＰＲ１２２、ＰＹ７４、ＰＢｋ７およびＰＯ３４を使用する。新
しい６色プロセスセットの例は、顔料カラーインデックス番号：ＰＢ７９、ＰＲ１２２、
ＰＹ７４、ＰＢｋ７、ＰＯ３４およびＰＶ２３を使用する。標準４色プロセスセットの例
ならびに本発明のインクセットの例は、これらの着色剤に限定されず、指示された色座標
を満足する他の着色剤を組み込み得ることに留意されるべきである。着色剤は、顔料また
は染料であり得る。顔料は、有機または無機の顔料を含み、染料は、酸性染料、塩基性染
料、媒染染料、建染染料、アゾイック染料、食用色素および昇華性染料を含むが、それら
に限定されず、天然および合成染料を含む。
【００５９】
前述のように、図６および図７は、５色印刷が、より大きな色域を印刷することにより
、印刷された画像において改善されたか、またはより現実的な外観をどのように生成でき
るかを示す。これは、多くの場合、基板が標準４色プロセスインクセットの達成可能な色
域を減らし得る、紙上へのフレキソ印刷において非常に望ましい。
【００６０】
本発明を、その様々な例示的および好ましい実施形態を含め、詳細に説明してきた。し
かし、当業者は、本開示を考慮するとき、本発明の範囲および精神に含まれる、本発明の
修正および／または改善を行い得ることが理解されるであろう。
【図１】
2019130908.tif 000003
【図２】
2019130908.tif 000004
【図３】
2019130908.tif 000005
【図４】
2019130908.tif 000006
【図５】
2019130908.tif 000007
【図６】
2019130908.tif 000008
【図７】
2019130908.tif 000009
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
本願明細書に記載の発明。
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
シアン、マゼンタ、イエローおよびブラック原色、ならびにシアン、マゼンタおよびイエロー原色のうちの少なくとも２色が、
２３４度に近い色相角から２２０度未満の色相角へシフトしたシアン、および
０度を数度上回る色相角から３５５度未満の色相角へシフトしたマゼンタ、および
９４度の色相角から９５度よりも大きい色相角へシフトしたイエロー、
で定義されるようにシフトされる第１の追加のプロセス原色を含む、４色プロセス印刷インクセットの拡張色域。
【請求項２】
前記シフトしたシアン、マゼンタおよびイエロー原色は、
シアンのさらにグリーン色調にシフトしたシアン、
マゼンタのさらにブルー色調にシフトしたマゼンタ、および
イエローのさらにグリーン色調にシフトしたイエロー、
のうちの１つまたは複数を含む、請求項１に記載の拡張色域。
【請求項３】
前記第１の追加のプロセス原色が、レディッシュオレンジ色である、請求項１に記載の拡張色域。
【請求項４】
前記レディッシュオレンジ色が、４９度と５９度との間のＣＩＥＬＡＢメトリック色相角を有する、請求項３に記載の拡張色域。
【請求項５】
前記第１の追加のプロセス原色が、レディッシュブルー色である、請求項１に記載の拡張色域。
【請求項６】
前記レディッシュブルー色が、３０５度と３１５度との間のＣＩＥＬＡＢメトリック色相角を有する、請求項５に記載の拡張色域。
【請求項７】
第２のプロセス原色をさらに含む、請求項１に記載の拡張色域。
【請求項８】
前記第１のおよび第２の追加のプロセス原色が、レディッシュオレンジ色およびレディッシュブルー色を含む、請求項７に記載の拡張色域。
【請求項９】
前記レディッシュオレンジ色が、４９度と５９度との間のＣＩＥＬＡＢメトリック色相角を有し、かつ、前記レディッシュブルー色が、３０５度と３１５度との間のＣＩＥＬＡＢメトリック色相角を有する、請求項８に記載の拡張色域。
【請求項１０】
請求項１に記載の拡張色域を使用して生成された印刷インクセットを使用する印刷プロセス。
【請求項１１】
前記印刷プロセスが、フレキソ、グラビア、リソグラフィ、スクリーン、およびインクジェットのうちの少なくとも１つを含む、請求項１０に記載の印刷プロセス。
【請求項１２】
使用される前記インクが、溶剤系インク、水性インク、酸化乾燥インク、およびエネルギー硬化型インクのうちの１つまたは複数である、請求項１０に記載の印刷プロセス。
【請求項１３】
前記シアン、マゼンタ、イエロー原色および前記第１の追加のプロセス原色は、ＣＩＥＬＡＢとは異なる任意のカラーシステムで表現されたのと同等の量だけシフトされる、請求項１に記載の拡張色域。
【請求項１４】
請求項１３に記載の拡張色域を使用して生成された印刷インクセットを使用する印刷プロセス。
【請求項１５】
前記印刷プロセスが、フレキソ、グラビア、リソグラフィ、スクリーン、およびインクジェットのうちの少なくとも１つを含む、請求項１４に記載の印刷プロセス。
【請求項１６】
使用される前記インクが、溶剤系インク、水性インク、酸化乾燥インク、およびエネルギー硬化型インクのうちの１つまたは複数である、請求項１５に記載の印刷プロセス。
【外国語明細書】
2019130908000001.pdf